(57)【特許請求の範囲】
【請求項１】
導電性を有するブラケットに対して取り付けられるコネクタハウジングと、
アース線を有する電線に接続されるとともに前記コネクタハウジングに取り付けられる複数本の端子金具と、
前記アース線または前記アース線に接続された前記端子金具に対して接触される回路側接触部と、前記ブラケットに対して接触されるブラケット側接触部とをそれぞれ備え、前記コネクタハウジングに取り付けられる複数の分割アース端子とからなり、
前記コネクタハウジングのうち前記ブラケットと前記分割アース端子との間において前記ブラケット側接触部を避けた位置には、前記ブラケットと前記分割アース端子とを仕切る仕切り部が設けられているコネクタ。
【請求項２】
前記ブラケット及び前記分割アース端子が前記コネクタハウジングに対して同方向から取り付けられるようになっており、前記仕切り部は、前記コネクタハウジングにおける前記ブラケット及び前記分割アース端子の取付方向手前側端部に臨んで配されている請求項１記載のコネクタ。
【請求項３】
前記各ブラケット側接触部は、一方向に並んで配されるとともに、前記ブラケットの同一板面に対して接触されている請求項１または請求項２記載のコネクタ。
【請求項４】
前記コネクタハウジングには、前記端子金具が複数段に積み重なるようにして配置されており、前記各回路側接触部は、前記端子金具の積み重なり方向の外側から前記アース線または前記アース線に接続された前記端子金具に対して接触され、且つ前記各ブラケット側接触部は、前記端子金具の積み重なり方向に沿って並んで配されている請求項３記載のコネクタ。
【請求項５】
前記各ブラケット側接触部が前記ブラケットに対して対称となる位置で接触されている請求項３または請求項４記載のコネクタ。
【請求項６】
前記コネクタハウジングには、前記端子金具が複数段に積み重なり、且つ隣り合う段の端子金具同士が互いにずれて配置されている請求項１ないし請求項５のいずれか１項に記載のコネクタ。
【請求項７】
前記回路側接触部が前記端子金具に対して接触されるものであって、前記コネクタハウジングには、取り付けられた前記端子金具に弾性的に係止する端子金具用抜け止め片が設けられ、この端子金具用抜け止め片が前記回路側接触部とは端子金具を挟んだ反対側に配置されている請求項６記載のコネクタ。
【請求項８】
前記コネクタハウジングには、前記ブラケットに対して係止するブラケット用ロック部が設けられ、このブラケット用ロック部は、前記ブラケット側接触部とは前記ブラケットを挟んで反対側に配置されている請求項１ないし請求項７のいずれか１項に記載のコネクタ。
【発明の詳細な説明】
【技術分野】
【０００１】
本発明は、コネクタに関する。
【背景技術】
【０００２】
従来、自動車の電気配線に含まれるアース線をボディに接続するためのアース端子を備えたコネクタの一例として下記特許文献１に記載されたものが知られている。このものは、ボディに固定されたブラケットに対して取り付けられるコネクタハウジングに、同軸電線の内部導体に接続された端子金具と、同軸電線の外部導体（アース線）をブラケットに接続するアース端子とが備えられた構成となっている。アース端子は、コネクタハウジングにインサートされており、外部導体に接触される回路側接触部と、ブラケットに接触されるブラケット側接触部とを有している。
【特許文献１】特開平６−２６７６１５号公報
【発明の開示】
【発明が解決しようとする課題】
【０００３】
ところで、コネクタハウジング内に収容される端子金具が複数あり、それら端子金具に接続した各同軸電線の外部導体をそれぞれブラケットに接続する場合には、まずアース端子が全体として大型になるという問題がある。それに加え、アース端子に回路側接触部を複数形成する必要があるため、形状が複雑になってアース端子をプレス加工により成形するのが難しくなり、また製造過程においてアース端子を多数連成した連鎖端子をフープ状に巻き取ることが困難になるなど、アース端子の製造自体が難しくなるといった問題も生じていた。
【０００４】
本発明は上記のような事情に基づいて完成されたものであって、複数の電線のアース線とブラケットとを電気的に接続するのに好適なコネクタを提供することを目的とする。
【課題を解決するための手段】
【０００５】
本発明は、導電性を有するブラケットに対して取り付けられるコネクタハウジングと、アース線を有する電線に接続されるとともに前記コネクタハウジングに取り付けられる複数本の端子金具と、前記アース線または前記アース線に接続された前記端子金具に対して接触される回路側接触部と、前記ブラケットに対して接触されるブラケット側接触部とをそれぞれ備え、前記コネクタハウジングに取り付けられる複数の分割アース端子とからなり、前記コネクタハウジングのうち前記ブラケットと前記分割アース端子との間において前記ブラケット側接触部を避けた位置には、前記ブラケットと前記分割アース端子とを仕切る仕切り部が設けられている。
【０００６】
このようにすると、アース線またはアース線に接続された端子金具には、各分割アース端子の回路側接触部が接触されるのに対し、ブラケットには、各分割アース端子のブラケット側接触部が接触されることで、各アース線がブラケットに対して電気的に接続される。このように、回路側接触部とブラケット側接触部とをそれぞれ有する複数の分割アース端子を用いるようにしたから、仮に１つのアース端子に全ての回路側接触部を設けた場合と比較すると、分割アース端子を小型にできるとともにその構造を簡素化できて製造も容易なものとなる。
また、ブラケット及び分割アース端子は、コネクタハウジングに取り付けられた状態で仕切り部によって互いに仕切られるので、両者の相対的な位置決めを図ることができる。
【０００８】
本発明の実施態様として、次の構成が好ましい。
（１）前記ブラケット及び前記分割アース端子が前記コネクタハウジングに対して同方向から取り付けられるようになっており、前記仕切り部は、前記コネクタハウジングにおける前記ブラケット及び前記分割アース端子の取付方向手前側端部に臨んで配される構成とする。このようにすれば、ブラケットや分割アース端子をコネクタハウジングに取り付ける際に、仕切り部によってその取り付けをガイドすることができ、作業性に優れる。
【０００９】
（２）前記各ブラケット側接触部は、一方向に並んで配されるとともに、前記ブラケットの同一板面に対して接触される構成とする。このようにすれば、ブラケットとして真っ直ぐな形状のものを用いることができるから、そのブラケットが取り付けられるコネクタハウジングの構造を簡素化することができる。
【００１０】
（３）前記コネクタハウジングには、前記端子金具が複数段に積み重なるようにして配置されており、前記各回路側接触部は、前記端子金具の積み重なり方向の外側から前記アース線または前記アース線に接続された前記端子金具に対して接触され、且つ前記各ブラケット側接触部は、前記端子金具の積み重なり方向に沿って並んで配される構成とする。このようにすれば、端子金具が複数段に積み重なる配置とされるものにおいて配置効率が良好なものとなり、コネクタの小型化を図ることができる。
【００１１】
（４）前記各ブラケット側接触部が前記ブラケットに対して対称となる位置で接触される構成とする。このようにすれば、ブラケットに対して各ブラケット側接触部をバランス良く接触させることができ、良好な接触性能を得ることができる。
【００１２】
（５）前記コネクタハウジングには、前記端子金具が複数段に積み重なり、且つ隣り合う段の端子金具同士が互いにずれて配置される構成とする。このようにすれば、端子金具が千鳥状に配置されるから、コネクタハウジングにおける端子金具の配置効率が良好になり、コネクタの小型化に好適となる。
【００１３】
（６）前記回路側接触部が前記端子金具に対して接触されるものであって、前記コネクタハウジングには、取り付けられた前記端子金具に弾性的に係止する端子金具用抜け止め片が設けられ、この端子金具用抜け止め片が前記回路側接触部とは端子金具を挟んだ反対側に配置される構成とする。このようにすれば、端子金具用抜け止め片によって端子金具を弾性的に受けることができるから、端子金具と回路側接触部との接触状態を良好に保つことができる。
【００１４】
（７）前記コネクタハウジングには、前記ブラケットに対して係止するブラケット用ロック部が設けられ、このブラケット用ロック部は、前記ブラケット側接触部とは前記ブラケットを挟んで反対側に配置される構成とする。このようにすれば、ブラケット接触部とブラケット用ロック部とがブラケットを挟んで互いに反対に配置されるので、仮にブラケット接触部とブラケット用ロック部とを同じ側に配置した場合と比べると、ブラケットの幅を狭くすることができ、コネクタの小型化に好適となる。
【発明の効果】
【００１５】
本発明によれば、複数の電線のアース線とブラケットとを電気的に接続するのに好適なコネクタを提供することができる。
【発明を実施するための最良の形態】
【００１６】
＜実施形態＞
本発明の一実施形態を図１ないし図２０によって説明する。本実施形態では、自動車のボディ（図示せず）に固定されたブラケットＢに取り付けられるコネクタ１０を示す。なお以下では、端子金具１２やブラケットＢの挿入方向（図１２の左方）を前方、逆の抜き取り方向（図１２の右方）を後方とし、また上下方向については図２や図１２を基準とする。なお、図１５及び図１６では端子金具１２の図示を省略する。
【００１７】
まず、ブラケットＢについて説明する。ブラケットＢは、図３及び図１５に示すように、導電性を有する金属製とされ、ボディとの固定箇所から片持ち状に延びる横長な板状をなしている。ブラケットＢにおける先端部近くの幅方向中央位置には、厚さ方向に貫通するロック孔Ｂａが設けられている。また、ブラケットＢの先端部には、コネクタ１０の取り付けをスムーズにするため全周にわたって面取りが施されている。
【００１８】
続いて、コネクタ１０について説明する。コネクタ１０は、図１１及び図１２に示すように、コネクタハウジング１１（以下、単にハウジング１１という）と、ハウジング１１に取り付けられ同軸電線（図示せず）の端末に接続された複数本（本実施形態では３本）の端子金具１２と、ハウジング１１に取り付けられ端子金具１２の一部とブラケットＢとを電気的に接続するための複数（本実施形態では２つ）の分割アース端子１３とを備えている。このコネクタ１０は、ブラケットＢに取り付けられた状態で相手コネクタ（図示せず）と嵌合接続されるようになっている。
【００１９】
端子金具１２が接続される同軸電線は、軸心側から順に、内部導体（芯線）、内部絶縁層、外部導体（編組線）、外部被覆を同心状に備える既知の構造とされる。このうち、内部導体は、自動車の電気回路の信号線を構成し、外部導体は、同電気回路のアース線を構成する。
【００２０】
端子金具１２は、図４及び図１２に示すように、同軸電線の内部導体に対して接続される内部導体用端子（図示せず）と、内部導体用端子の外側に配され同軸電線の外部導体に対して接続される外部導体用端子１４と、内部導体用端子と外部導体用端子１４との間に介在して両者を絶縁状態に保つための絶縁体（図示せず）とを備える。外部導体用端子１４は、円筒型をなすとともに内部導体用端子の外側を全周にわたって取り囲む本体部１５と、同軸電線の端末において露出した外部導体に圧着接続される電線接続部１６とを前後に繋げた構成とされる。
【００２１】
本体部１５の後端部には、本体部１５及び電線接続部１６に連なる底板１４ａ側とは反対側に本体部１５を開放する形態でスタビライザ１７が一対設けられている。スタビライザ１７は、本体部１５の後端部における開放部分を挟んだ位置に一対対向状に配され、図１２の上下方向に沿って突出する板片状をなしている。本体部１５における上記開放部分の前縁には、ランス係止部１８が設けられており、このランス係止部１８は、本体部１５から径方向外側へ突出するよう叩き出されている。本体部１５のうち両スタビライザ１７とは約９０度の角度間隔を空けた位置には、一対の突起１９が外側へ突出するようそれぞれ切り起こして形成されている。また、内部導体用端子は、コネクタ１０に対して嵌合される相手コネクタ側の相手端子（自動車の電気回路の信号線を構成する）に対して導通接触されるようになっている。また、電線接続部１６は、前後に一対ずつかしめ片１６ａ，１６ｂを備えている。
【００２２】
ハウジング１１は、合成樹脂製とされ、図１及び図２に示すように、大まかには、端子金具１２及び分割アース端子１３が収容される端子収容部２０と、相手コネクタが嵌合されるフード部２１と、ブラケットＢが取り付けられるブラケット取付部２２とを備える。フード部２１は、端子収容部２０から前方へ突出するとともに前方へ開口する略角筒状に形成されており、その内部に前方から相手コネクタを嵌合可能な嵌合空間が確保されている。
【００２３】
端子収容部２０は、略ブロック状に形成されるととともに、その上面には、嵌合された相手コネクタを保持するためのロックアーム２３が設けられている。ロックアーム２３は、前後方向に沿って延びるとともに端子収容部２０との連結部位を支点として上下にシーソー状に弾性変形可能とされる。ロックアーム２３は、端子収容部２０の上面のうち、前端位置で且つ幅方向中央位置に連結され、後端側の被操作部分を除いた全域が上側からフード部２１の上壁部分によって覆われている。
【００２４】
端子収容部２０には、端子金具１２を収容可能な端子金具用収容室２４と、分割アース端子１３を収容可能な分割アース端子用収容室２５とが設けられている。このうち、分割アース端子用収容室２５については、分割アース端子１３と共に後に詳しく説明するものとし、先に端子金具用収容室２４について説明する。
【００２５】
端子金具用収容室２４は、端子収容部２０において上下２段に積み重なるようにして設置されており、詳しくは端子収容部２０における上側部分に２つ、下側部分に１つ形成されている。上下段で端子金具用収容室２４は、互いに幅方向（積み重なり方向である上下方向と直交する方向）についてずれて配置されており、上段側の両端子金具用収容室２４の間に下段側の端子金具用収容室２４が配置されている。つまり、各端子金具用収容室２４は、千鳥状に配置されており、各端子金具用収容室２４の中心位置が正三角形の頂点に位置する。
【００２６】
端子金具用収容室２４は、端子金具１２の本体部１５の外形に合わせて円形状をなすとともに端子収容部２０を前後に貫通する孔状に形成されており、後方から端子金具１２が個別に挿入可能とされている。端子金具用収容室２４の内周壁面には、図１２に示すように、挿入される端子金具１２のランス係止部１８に対して弾性的に係止することでこれを抜け止め保持可能なランス２６が設けられている。ランス２６によって抜け止めされた端子金具１２は、本体部１５の前部が嵌合空間内に突き出した状態で保持される（図１３参照）。
【００２７】
ランス２６は、片持ち状をなし、上下方向（端子金具１２の挿入方向と直交する方向）に沿って弾性変形可能とされる。ランス２６は、図１に示すように、端子金具用収容室２４の内周壁面のうち、隣り合う段の端子金具用収容室２４側の端部に配置されており、詳しくは上段側の両端子金具用収容室２４においては下端位置に、下段側の端子金具用収容室２４においては上端位置にそれぞれ配置されている。つまり、各ランス２６は、上下の段で撓み方向が逆方向になっているとともに、隣り合う段のランス２６の撓み空間２７と幅方向に隣り合う（上下方向について重なり合う）位置関係にある。これにより、ランス２６及びその撓み空間２７の配置効率が良好となり、ハウジング１１の小型化に好適となっている。
【００２８】
端子金具用収容室２４の内周壁面のうち、ランス２６を挟んだ両側には、図２に示すように、スタビライザ１７を挿通可能なスタビライザ挿通溝２８が一対前後に開口する形態で形成されている。また、端子金具用収容室２４の内周壁面のうち、両スタビライザ挿通溝２８とは約９０度の角度間隔を空けた位置には、突起１９を挿通可能な突起挿通溝２９が一対後方に開口する形態で形成されている。この突起挿通溝２９の前縁には、端子金具１２が正規深さまで挿入されたときに突起１９が係合可能とされ、これにより端子金具１２の前止まりが図られるようになっている。
【００２９】
続いて、ブラケット取付部２２について説明する。ブラケット取付部２２は、図１ないし図３に示すように、ハウジング１１のうち、上下方向（端子金具１２の積み重なり方向）に沿った側面（図２に示す右側面）に設置されており、そこに取り付けられるブラケットＢは、その板面を上下方向と一致させた姿勢となる。
【００３０】
ブラケット取付部２２は、後方へ開放する袋状に形成されており、その内部空間が後方からブラケットＢを挿入可能なブラケット用収容室３０となっている。詳しくは、ブラケット取付部２２は、ハウジング１１の側面から突出する一対の側壁３１と、両側壁３１の突出端から内向きに張り出すとともにハウジング１１の側面と対向する張出壁３２と、両張出壁３２からさらに部分的に張り出して両張出壁３２を連結する架橋壁３３と、架橋壁３３から後方へ延出するブラケット用ロック片３４と、ハウジング１１の側面から突出して側壁３１及び張出壁３２の前端部に連結される前止まり壁３５とからなる。ブラケット取付部２２（ブラケット用収容室３０）は、上下方向について上下段の端子金具用収容室２４に跨る範囲に形成されている。ブラケット用収容室３０は、ブラケットＢの幅寸法及び厚さ寸法に適合する大きさとされている。
【００３１】
ブラケット用ロック片３４は、前後方向に沿って延びる片持ち状をなすとともに、幅方向（ブラケットＢの挿入方向と直交する方向）に沿って弾性変形可能とされている。ブラケット用ロック片３４の自由端部の内面には、ロック突部３６がブラケット用収容室３０内に突出して設けられており、このロック突部３６がブラケットＢのロック孔Ｂａの孔縁に係止されることで、ハウジング１１がブラケットＢに対して抜け止め状態に弾性的に保持されるようになっている。ブラケット用ロック片３４は、ブラケット取付部２２における上下方向の中央位置に配置されている。ブラケット用ロック片３４は、ブラケットＢを挿入する過程では外側に変位される。
【００３２】
次に、分割アース端子１３及び分割アース端子用収容室２５について詳しく説明する。分割アース端子１３は、図５ないし図１０に示すように、導電性を有する金属板をプレス成形などすることで所定形状に形成されている。分割アース端子１３は、上段側の２本の端子金具１２をブラケットＢに接続する２極用のものと、下段側の１本の端子金具１２をブラケットＢに接続する１極用のものとの２種類があり、それぞれが端子収容部２０に形成された各分割アース端子用収容室２５内に個別に収容される。なお、以下では分割アース端子１３及び分割アース端子用収容室２５を区別する場合には、２極用のものの符号に添え字Ａを、１極用のものの符号に添え字Ｂを付し、区別せずに総称する場合には、符号に添え字を付さないものとする。
【００３３】
先に、両分割アース端子１３の共通構造について説明する。分割アース端子１３は、幅方向及び前後方向に沿った基板３７と、基板３７を部分的に切り起こしてなる回路側接触片３８と、基板３７の側縁から屈曲されて上下方向に沿った側板３９と、側板３９から延出されるブラケット側接触片４０とから構成されている。このうち、回路側接触片３８が端子金具１２の外部導体用端子１４に、ブラケット側接触片４０がブラケットＢにそれぞれ弾性接触可能とされる。
【００３４】
基板３７は、図６及び図９に示すように、前後の長さ寸法及び幅寸法が共に端子収容部２０よりも短く、平面視矩形状をなしている。基板３７における両側縁には、抜け止め片４１が一対切り起こして形成されており、これら抜け止め片４１が分割アース端子用収容室２５の内壁面に食い込みことで、分割アース端子１３をハウジング１１から抜け止め状態に保持できるようになっている。
【００３５】
回路側接触片３８は、図６，図７，図９及び図１０に示すように、基板３７に前方へ開口する一対のスリットを入れるとともに、両スリット間の部分をさらに前方へ延出させてなる板片を折り曲げることで、片持ち状に形成されている。回路側接触片３８は、基板３７から側板３９と同方向（取付状態ではコネクタ１０の径方向内側）に突出するよう斜めに立ち上げられてから基板３７の前端位置で基板３７側へ折り返されており、その折り返し部が端子金具１２との接点部３８ａとなっている。回路側接触片３８は、基端部を支点として上下方向（端子金具１２の挿入方向と直交する方向、端子金具１２の積み重なり方向）に沿って弾性変形可能とされている。回路側接触片３８の自由端部は、側方へ張り出して部分的に幅広に形成され、その張出部分４２が基板３７の板面に当接されている。これにより、回路側接触片３８の弾発力が高められるとともに過度の撓み変形が規制されるようになっている。
【００３６】
側板３９は、図５及び図８に示すように、基板３７の側縁における後端部から突出する板片をほぼ直角に屈曲させることで、上下方向に沿って延びる形態に形成されており、前方または後方から見て基板３７と側板３９とがＬ字型をなしている。側板３９は、上下方向に沿った細長い片状をなしており、その前縁からブラケット側接触片４０が前方へ延出して設けられている。
【００３７】
ブラケット側接触片４０は、図６及び図９に示すように、回路側接触片３８と同様に後端側が基端、前端側が自由端とされる片持ち状に形成されている。ブラケット側接触片４０は、側板３９から基板３７側とは反対側（取付状態ではコネクタ１０の径方向外側）に突出するよう立ち上げられて途中に頂点を有する、なだらかな略山形をなしており、その頂点部分が接点部４０ａとされる。このブラケット側接触片４０の自由端部は、回路側接触片３８とは異なって弾性変形時にも基板３７や側板３９とは当接不能とされる。ブラケット側接触片４０は、基端部を支点に幅方向（ブラケットＢの挿入方向と直交する方向、端子金具１２の積み重なり方向と直交する方向）に沿って弾性変形可能とされている。ブラケット側接触片４０におけるブラケットＢとの接触面である外面は、図５及び図８に示すように、両側部がテーパ状に形成されるとともに中央部が両側部よりも外側（取付状態ではブラケットＢ側）に突出している。また、ブラケット側接触片４０は、回路側接触片３８よりも幅広に形成されている。
【００３８】
続いて、両分割アース端子１３Ａ，１３Ｂの個別構造について説明する。２極用の分割アース端子１３Ａは、回路側接触片３８Ａを２本有しているのに対し（図５）、１極用の分割アース端子１３Ｂは、回路側接触片３８Ｂを１本のみ有している（図８）。それに伴い、２極用の分割アース端子１３Ａの基板３７Ａは、幅寸法が１極用の分割アース端子１３Ｂの基板３７Ｂよりも大きく設定されている（図６及び図９）。２極用の分割アース端子１３Ａでは、２本の回路側接触片３８Ａが基板３７Ａにおいて幅方向についてほぼ対称となる位置に設置されているのに対し（図６）、１極用の分割アース端子１３Ｂでは、回路側接触片３８Ｂが基板３７Ｂの中心から側板３９Ｂ側とは反対側に偏った位置に設置されている（図９）。
【００３９】
次に、両分割アース端子用収容室２５の共通構造について説明する。分割アース端子用収容室２５は、図２及び図１４に示すように、端子収容部２０において後方へ開口する溝状に形成され、各端子金具用収容室２４よりもコネクタ１０の径方向外側で、且つブラケット用収容室３０よりもコネクタ１０の径方向内側に配されている。分割アース端子用収容室２５は、対応する分割アース端子１３の外形に合わせて後方から見て略Ｌ字型をなしており、幅方向に沿って延びるとともに基板３７が収容される基板収容部分４３と、上下方向に沿って延びるとともに側板３９が収容される側板収容部分４４とを繋げた構成とされる。
【００４０】
端子収容部２０のうち、分割アース端子用収容室２５の基板収容部分４３と隣接する端子金具用収容室２４との間には、両収容室２４，２５同士を連通させるとともに、回路側接触片３８の端子金具用収容室２４内への進入を許容する回路側接触片用連通空間４５がそれぞれ後方へ開口して設けられている。一方、端子収容部２０のうち、分割アース端子用収容室２５の側板収容部分４４とブラケット用収容室３０との間には、両収容室２５，３０同士を連通させるとともに、ブラケット側接触片４０のブラケット用収容室３０内への進入を許容するブラケット側接触片用連通空間４６がそれぞれ後方へ開口して設けられている。
【００４１】
続いて、各分割アース端子用収容室２５の個別構造について詳しく説明する。２極用の分割アース端子用収容室２５Ａは、端子収容部２０のうち上端部と図２に示す右側（ブラケット取付部２２側）の側端部の上部とにわたる範囲に形成されている。詳しくは、２極用の分割アース端子用収容室２５Ａは、基板収容部分４３Ａが上段側の両端子金具用収容室２４よりも上側、つまりコネクタ１０の径方向外側に配され、側板収容部分４４Ａが上段の同図右側の端子金具用収容室２４とブラケット用収容室３０との間に配されている。回路側接触片用連通空間４５Ａは、上段側の両端子金具用収容室２４に対応して一対形成されている。ブラケット側接触片用連通空間４６Ａは、端子収容部２０の上部に配された側板収容部分４４Ａとブラケット用収容室３０の上部とを連通させている。
【００４２】
一方、１極用の分割アース端子用収容室２５Ｂは、端子収容部２０のうち下端部と図２に示す右側（ブラケット取付部２２側）の側端部の下部とにわたる範囲に形成されている。詳しくは、１極用の分割アース端子用収容室２５Ｂは、基板収容部分４３Ｂが下段側の端子金具用収容室２４よりも下側、つまりコネクタ１０の径方向外側に配され、側板収容部分４４Ｂが下段の端子金具用収容室２４とブラケット用収容室３０との間に配されている。回路側接触片用連通空間４５Ｂは、下段側の端子金具用収容室２４に対応して１つ形成されている。ブラケット側接触片用連通空間４６Ｂは、端子収容部２０の下部に配された側板収容部分４４Ｂとブラケット用収容室３０の下部とを連通させている。
【００４３】
ところで、両分割アース端子用収容室２５とブラケット用収容室３０との間には、既述したようにブラケット側接触片用連通空間４６が形成されて互いが連通されているのであるが、その連通部分には、各収容室２５，３０に取り付けられる分割アース端子１３とブラケットＢとを仕切るための仕切り部４７が残されている。仕切り部４７は、両分割アース端子用収容室２５の側板収容部分４４間を仕切る基部４８と、基部４８の先端から上下に張り出すとともに両側板収容部分４４とブラケット用収容室３０とを仕切る一対の張出部４９とからなり、全体として後方から見て略Ｔ字型をなしている。
【００４４】
仕切り部４７のうち、基部４８が両側板収容部分４４の側壁を構成するのに対し、両張出部４９は、両側板収容部分４４の天井壁及びブラケット用収容室３０の底壁を構成している。両張出部４９は、ブラケット側接触片４０の端部に近接する位置にまで張り出しており、ブラケット側接触片４０を避けた位置に配置されている（図１１）。両張出部４９の先端部における側板収容部分４４側の面には、分割アース端子１３の側板３９の端部に当接するがたづめ突起５０がそれぞれ設けられている。これにより、側板３９をがたつきなく保持することができる。
【００４５】
仕切り部４７は、図２及び図３に示すように、分割アース端子用収容室２５及びブラケット用収容室３０の開口方向である前後方向に沿って延出する突条状をなしており、その後端部がハウジング１１の後端部（分割アース端子１３やブラケットＢの取付方向手前側端部）に配されるとともにそこで後方外部に露出している。
【００４６】
本実施形態は以上のような構造であり、続いてその作用を説明する。まず、ハウジング１１の両分割アース端子用収容室２５に対応する分割アース端子１３を個別に取り付ける作業を行う。ハウジング１１の後方から分割アース端子１３を分割アース端子用収容室２５内に挿入する際には、ハウジング１１の後端位置に配された仕切り部４７の後端部によってガイド（位置決め）されることで、側板３９がブラケット用収容室３０内に進入することなく確実に側板収容部分４４内に進入する。
【００４７】
取付状態では、図１１，図１２，図１５及び図１７に示すように、各回路側接触片３８が対応する各端子金具用収容室２４内に進入して待ち受け状態とされるとともに、両ブラケット側接触片４０がブラケット用収容室３０内に進入し上下に並んだ状態で待ち受け状態とされる。各回路側接触片３８は、ランス２６と対向する位置、つまり約１８０度の角度間隔を空けた位置に配されている。両ブラケット側接触片４０は、ブラケット用収容室３０において上下にほぼ対称となる位置に配されており、中央に配されたブラケット用ロック片３４とは上下にほぼ同じ距離だけずれた位置に配されている。また、この状態では各抜け止め片４１が分割アース端子用収容室２５の内壁面に食い込むことで、分割アース端子１３がハウジング１１から抜け止め状態に保持される。
【００４８】
続いて、各同軸電線の端末に接続された各端子金具１２を、各端子金具用収容室２４に個別に取り付ける作業を行う。図１２に示す状態から、ハウジング１１の後方から端子金具１２を端子金具用収容室２４内に挿入すると、スタビライザ１７がスタビライザ挿通溝２８に、突起１９が突起挿通溝２９にそれぞれ挿通されることで、端子金具１２が周方向について位置決めされる（回り止めされる）とともにその挿入動作（前進動作）が円滑なものとなる（図１４参照）。
【００４９】
挿入過程では、端子金具１２によってランス２６が一旦弾性変形されるとともに、回路側接触片３８も弾性変形される。そして、端子金具１２が正規深さに達すると、図１３に示すように、ランス２６が復元してランス係止部１８に係止することで、端子金具１２がハウジング１１から抜け止め状態に保持される。この取付状態では、図１３及び図１４に示すように、コネクタ１０の径方向外側（積み重なり方向の外側）から回路側接触片３８が端子金具１２における外部導体用端子１４の底板１４ａに対して弾性接触している。従って、端子金具１２は、ランス２６とその反対側に配された回路側接触片３８との間に挟まれ、両者２６，３８によって弾性的に受けられる。
【００５０】
全ての端子金具１２の取り付けが完了したら、続いてハウジング１１をブラケットＢに取り付ける作業を行う。図１５及び図１７に示す状態から、ハウジング１１の後方からブラケットＢをブラケット用収容室３０内に挿入する際には、ハウジング１１の後端位置に配された仕切り部４７の後端部によってガイド（位置決め）されることで、ブラケットＢが側板収容部分４４内に進入することなく確実にブラケット用収容室３０内に進入する。
【００５１】
ブラケットＢが挿入される過程では、ブラケットＢによってブラケット用ロック片３４が一旦外向きに弾性変形されるとともに、両ブラケット側接触片４０も内向きに弾性変形される。そして、ブラケットＢが正規深さに達すると、図１６に示すように、ロック突部３６がロック孔Ｂａ内に進入するとともにブラケット用ロック片３４が復元し、ロック突部３６がロック孔Ｂａの孔縁に対して係止することで、ブラケットＢに対してハウジング１１が抜け止め状態に保持される。この取付状態では、図１８及び図１９に示すように、上下（端子金具１２の積み重なり方向）に並んだ両ブラケット側接触片４０がブラケットＢのうちコネクタ１０の径方向内側を向いた（ブラケット用ロック片３４側とは反対側の）同一板面に対して弾性接触されている。両ブラケット側接触片４０は、ブラケットＢに対してほぼ上下対称となる位置で接触されている。
【００５２】
上記のようにハウジング１１がブラケットＢに取り付けられた状態では、両分割アース端子１３の各回路側接触片３８が各端子金具１２の外部導体用端子１４に、両ブラケット側接触片４０がブラケットＢに、それぞれ接触している。これにより、各同軸電線のアース線である外部導体が外部導体用端子１４及び分割アース端子１３を介してブラケットＢに対して電気的に接続され、もってアースをとることができる。
【００５３】
ところで、上記したコネクタ１０とは別に、使用する同軸電線及び端子金具１２の数が異なるコネクタが必要な場合には、そのハウジングの構造を上記コネクタ１０のハウジング１１と部分的に共通させることで、上記コネクタ１０に用いた分割アース端子１３を共用することができる。具体的には、使用される同軸電線及び端子金具１２が２本の、２極用のコネクタ１０′においては、図２０に示すように、上記した３極用のコネクタ１０のハウジング１１から１極用の分割アース端子用収容室２５Ｂを省略した構造のハウジング１１′を用いるようにし、そのハウジング１１′に２極用の分割アース端子１３Ａを取り付けるようにすればよい。また、図２０に示すもの以外にも、図示は省略するが１極用のコネクタでは、２極用の分割アース端子用収容室２５Ａを省略した構造のハウジングを用いることで、１極用の分割アース端子１３Ｂを共用化することができる。このようにすれば、極数が異なる複数種類のコネクタにおいて分割アース端子１３を共用化することができるので、仮にコネクタの種類毎に専用部品として分割アース端子を製造した場合と比較すると、低コスト化を図ることができる。
【００５４】
以上説明したように本実施形態によれば、端子金具１２に接触される回路側接触片３８とブラケットＢに接触されるブラケット側接触片４０とを備えた複数の分割アース端子１３をハウジング１１に取り付けるようにしたから、仮に１つのアース端子に全ての回路側接触片３８を設けた場合と比較すると、個々の分割アース端子１３を小型にできるとともにその構造を簡素化できて製造が容易なものとなる。これにより、複数の同軸電線のアース線とブラケットＢとを電気的に接続するのに好適なコネクタ１０を得ることができる。
【００５５】
また、ハウジング１１のうちブラケットＢと分割アース端子１３とに間においてブラケット側接触片４０を避けた位置に、ブラケットＢと分割アース端子１３とを仕切る仕切り部４７を設けるようにしたから、ブラケットＢと分割アース端子１３との相対的な位置決めを図ることができ、いずれか一方が他方側の収容室内に進入するのを防止できる。
【００５６】
また、ブラケットＢ及び分割アース端子１３がハウジング１１に対して同方向から取り付けられるようになっており、仕切り部４７がハウジング１１におけるブラケットＢ及び分割アース端子１３の取付方向手前側端部に臨んで配されているから、ブラケットＢや分割アース端子１３をハウジング１１に取り付ける際に、仕切り部４７によってその取り付けをガイドすることができ、作業性に優れる。
【００５７】
また、各ブラケット側接触片４０が一方向に並んで配されるとともに、ブラケットＢの同一板面に対して接触されるようになっているから、ブラケットＢとして真っ直ぐな形状のものを用いることができ、そのブラケットＢが取り付けられるハウジング１１の構造を簡素化することができる。
【００５８】
また、ハウジング１１には、端子金具１２が複数段に積み重なるようにして配置されており、各回路側接触片３８が端子金具１２の積み重なり方向外側（コネクタ１０の径方向外側）から端子金具１２に対して接触され、且つ各ブラケット側接触片４０が端子金具１２の積み重なり方向に沿って並んで配されているから、多段タイプのコネクタ１０において配置効率が良好となり、コネクタ１０の小型化を図ることができる。
【００５９】
また、各ブラケット側接触片４０がブラケットＢに対して対称となる位置で接触されているから、ブラケットＢに対して各ブラケット側接触片４０をバランス良く接触させることができ、良好な接触性能を得ることができる。
【００６０】
また、ハウジング１１には、端子金具１２が複数段に積み重なり、且つ隣り合う段の端子金具１２同士が互いにずれて千鳥状に配置されているから、ハウジング１１における端子金具１２の配置効率が良好となり、コネクタ１０の小型化に好適となる。
【００６１】
また、ハウジング１１には、取り付けられた端子金具１２に弾性的に係止するランス２６が設けられ、このランス２６が回路側接触片３８とは端子金具１２を挟んだ反対側に配置されているから、ランス２６によって端子金具１２を弾性的に受けることができ、端子金具１２と回路側接触片３８との接触状態を良好に保つことができる。
【００６２】
また、ハウジング１１には、ブラケットＢに対して係止するブラケット用ロック片３４が設けられ、このブラケット用ロック片３４は、ブラケット側接触片４０とはブラケットＢを挟んだ反対側に配置されているから、仮にブラケット接触片とブラケット用ロック片とを同じ側に配置した場合と比べると、ブラケットＢの幅を狭くすることができ、コネクタ１０の小型化を図ることができる。
【００６３】
＜他の実施形態＞
本発明は上記記述及び図面によって説明した実施形態に限定されるものではなく、例えば次のような実施形態も本発明の技術的範囲に含まれる。
【００６４】
（１）上記した実施形態では、分割アース端子が基板と側板とを備え、全体が略Ｌ字型をなす場合を示したが、基板にブラケット側接触片を設けるようにして側板を省略してもよい。具体的には、ブラケットの取付位置を変更して、端子金具とブラケットとの間に分割アース端子の基板が配されるようにし、回路側接触片とブラケット側接触片とが基板から互いに逆向きに突出する形態とすればよい。
【００６５】
（２）上記した実施形態では、アース端子を２分割した場合を示したが、３つ以上に分割してもよい（分割アース端子の数を３つ以上にしてもよい）。
【００６６】
（３）上記した実施形態では、分割アース端子が回路側接触片を１本または２本有する場合を示したが、回路側接触片を３本以上有するものも本発明に含まれる。
【００６７】
（４）上記した実施形態では、同軸電線及び端子金具を１本〜３本有するコネクタについて示したが、同軸電線及び端子金具を４本以上有するものにも本発明は適用可能である。
【００６８】
（５）上記した実施形態では、端子金具が２段に積み重なるコネクタを示したが、端子金具が３段以上積み重なるものにも本発明は適用可能である。その場合、ハウジングにおいて積み重なる端子金具を千鳥状に配置することで、分割アース端子の各回路側接触片を積み重なり方向外側から端子金具に対して接触させることができる。また逆に端子金具が１段のものにも本発明は適用可能である。
【００６９】
（６）上記した実施形態では、回路側接触片を端子金具の外部導体用端子に接触させた場合を示したが、回路側接触片を同軸電線の外導体に対して直接接触させるようにしたものも本発明に含まれる。
【００７０】
（７）上記した実施形態では、端子金具が同軸電線の端末に接続された場合を示したが、外部導体や外部被覆を除いた通常の被覆電線の端末に接続された端子金具を用いたものにも本発明は適用可能である。その場合、被覆電線の芯線が電気回路のアース線を構成するようにすればよい。
【００７１】
（８）上記した実施形態では、同軸電線の端末に端子金具が直接接続される場合を示したが、必ずしも端子金具が電線に直接接続される必要はなく、例えば電線に直接接続された相手端子が両端部に接続される中継端子を備えたコネクタにも本発明は適用可能である。つまり、相手端子を介して電線に接続される中継端子を備えたコネクタでもよい。
【００７２】
（９）上記した実施形態では、回路側接触部及びブラケット側接触部が共に弾性変形可能な片持ちの片状に形成された場合を示したが、例えば両持ちの片状であってもよく、またそれ以外にも弾性変形不能な部位としてもよい。回路側接触部やブラケット側接触部を弾性変形不能な部位とした場合、相手側の端子金具やブラケットに弾性変形可能な片状の接触部分を設けるようにしてもよい。
【００７３】
（１０）上記した実施形態では、端子金具の外部導体用端子における本体部が円筒型とされる場合を示したが、例えば本体部が箱型であってもよい。
【００７４】
（１１）上記した実施形態では、ハウジングにおいて端子金具が千鳥状に配置されるコネクタを示したが、端子金具が格子状に配置されるものにも本発明は適用可能である。
【００７５】
（１２）上記した実施形態では、ブラケット取付部における外壁側に片持ち状のブラケット用ロック片を設置した場合を示したが、ブラケット用ロック片をブラケット取付部の内壁側（ブラケット側接触片側）に設けてもよい。それ以外にも、ロック片をブラケット側に設置し、ブラケット取付部側には上記ロック片が係止する部位を設けるようにしてもよい。さらには、ロック片などを省略し、ブラケットがブラケット取付部に対して圧入保持されるようにしてもよい。
【００７６】
（１３）上記した実施形態では、ブラケットが真っ直ぐな形状で１本とされる場合を示したが、ハウジング側にブラケット取付部を複数設置した場合には、ブラケットを複数本に分岐してもよい。また、ブラケット取付部の形状によってはブラケットを断面Ｌ字型などに変更することもできる。
【００７７】
（１４）上記した実施形態では、回路側接触片に対して端子金具を挟んだ反対側にランスが設置される場合を示したが、端子金具とランスとの角度間隔は１８０度以外に変更可能である。
【００７８】
（１５）相手コネクタを保持するためのロックアームの設置位置に関して、ハウジングにおけるブラケット取付部とは反対側の位置に設置してもよい。
【図面の簡単な説明】
【００７９】
【図１】本発明の一実施形態に係るコネクタを構成するハウジングの正面図
【図２】ハウジングの背面図
【図３】ハウジング及びブラケットの側面図
【図４】端子金具の平面図
【図５】２極用の分割アース端子の背面図
【図６】２極用の分割アース端子の平面図
【図７】２極用の分割アース端子の側面図
【図８】１極用の分割アース端子の背面図
【図９】１極用の分割アース端子の平面図
【図１０】１極用の分割アース端子の側面図
【図１１】ハウジングに分割アース端子を取り付けた状態を示す正面図
【図１２】分割アース端子を取り付けたハウジングに端子金具を挿入する前の状態を示す図２のＡ−Ａ線断面図
【図１３】分割アース端子を取り付けたハウジングに端子金具を挿入した状態を示す図２のＡ−Ａ線断面図
【図１４】ハウジングに分割アース端子及び端子金具を取り付けた状態を示す図３のＢ−Ｂ線断面図
【図１５】分割アース端子及び端子金具を取り付けたハウジングにブラケットを挿入する前の状態を示す図２のＣ−Ｃ線断面図
【図１６】分割アース端子及び端子金具を取り付けたハウジングにブラケットを挿入した状態を示す図２のＣ−Ｃ線断面図
【図１７】ブラケットを挿入する前の状態を示す図２のＤ−Ｄ線断面図
【図１８】ブラケットを挿入した状態を示す図２のＤ−Ｄ線断面図
【図１９】ハウジングに分割アース端子、端子金具及びブラケットを取り付けた状態を示す図３のＢ−Ｂ線断面図
【図２０】２極用のコネクタのハウジングに２極用の分割アース端子を取り付けた状態を示す正面図
【符号の説明】
【００８０】
１０…コネクタ
１１…ハウジング（コネクタハウジング）
１２…端子金具
１３…分割アース端子
２６…ランス（端子金具用抜け止め片）
３４…ブラケットロック片（ブラケット用ロック部）
３８…回路側接触片（回路側接触部）
４０…ブラケット側接触片（ブラケット側接触部）
４７…仕切り部
Ｂ…ブラケット
【図１】
0004978784.tif 000002
【図２】
0004978784.tif 000003
【図３】
0004978784.tif 000004
【図４】
0004978784.tif 000005
【図５】
0004978784.tif 000006
【図６】
0004978784.tif 000007
【図７】
0004978784.tif 000008
【図８】
0004978784.tif 000009
【図９】
0004978784.tif 000010
【図１０】
0004978784.tif 000011
【図１１】
0004978784.tif 000012
【図１２】
0004978784.tif 000013
【図１３】
0004978784.tif 000014
【図１４】
0004978784.tif 000015
【図１５】
0004978784.tif 000016
【図１６】
0004978784.tif 000017
【図１７】
0004978784.tif 000018
【図１８】
0004978784.tif 000019
【図１９】
0004978784.tif 000020
【図２０】
0004978784.tif 000021